(57)【要約】【課題】床面に不陸があっても隙間を生じさせることがなく、また形成に係わる手間が少なく、且つ長期に亘ってその機能を損なうことのない化粧幅木を提供する。【解決手段】下端部に接着された舌状体１が弾性合成樹脂からなることで、床面の不陸に応じて舌状体１が変形し床面との隙間が生じるのを防ぐことができるが、舌状体１は接着層４により幅木１０に一体となされていることで脱落の恐れが小さく、長期に亘って上述の機能を損なうことがない。また舌状体１は他の部位と押出成形により一体に成形されるので嵌合等により取り付ける必要がなく、形成に係わる手間は少ないものとなり得る。【参照図】        図２【特許請求の範囲】
【請求項１】
合成樹脂板に金属箔が貼着された幅木の、下端部に接着層が形成され、該接着層に熱可塑性弾性合成樹脂からなる舌状体が接着され、前記合成樹脂板、金属箔、接着層及び舌状体が押出成形により一体に成形されたものであることを特徴とする化粧幅木。
【請求項２】
前記金属箔は、更に外面に合成樹脂からなる剥離可能な保護層が形成され、該保護層と前記金属箔との間に前記接着層が設けられ、前記舌状体は前記保護層と融着されていることを特徴とする請求項１に記載の化粧幅木。
【請求項３】
前記舌状体は、蓄光性蛍光物質が配合されていることを特徴とする請求項１又は２に記載の化粧幅木。
【発明の詳細な説明】
【技術分野】
【０００１】
本発明は、住宅や店舗等の壁面の内装に用いられる幅木に関するものである。
【背景技術】
【０００２】
従来、住宅や店舗等の壁面の下端部を隠すのに用いられる幅木は、板状の部材を適宜の長さや幅に切断し取り付けられるものであるが、壁面と接する床面に凹凸がある場合には、剛性の高い板状の部材を用いたのでは床面の凹部において壁面の下端と床面との隙間が開き、外観上見苦しくなったり、水分や塵埃が侵入して不具合が起こる場合がある。
【０００３】
そこで、例えば特許文献１において、可撓性を有するスカート部を下面全長さに渡って形成し、床面に多少の不陸があっても幅木を切断することなく、スカート部により幅木と床材との間に生じる隙間を覆い隠すことのできる化粧幅木が開示されている。
【０００４】
【特許文献１】実願昭６１−１３２４１４のマイクロフィルム（実開昭６３−３７７４４号）
【発明の開示】
【発明が解決しようとする課題】
【０００５】
しかしながら、特許文献１に記載の如き化粧幅木では、幅木に形成した条溝にスカート部を嵌合させて形成する必要があり、条溝への嵌着の手間や、スカート部の条溝からの脱落の恐れがあった。
【０００６】
本発明は上記の如き課題に鑑みてなされたものであり、床面に不陸があっても隙間を生じさせることがなく、また形成に係わる手間が少なく、且つ長期に亘ってその機能を損なうことのない化粧幅木を提供せんとするものである。
【課題を解決するための手段】
【０００７】
上記課題を解決するため、本発明は以下のような構成としている。すなわち、本発明に係わる化粧幅木は、合成樹脂板に金属箔が貼着された幅木の、下端部に接着層が形成され、該接着層に熱可塑性弾性合成樹脂からなる舌状体が接着され、前記合成樹脂板、金属箔、接着層及び舌状体が押出成形により一体に成形されたものであることを特徴とするものである。
【０００８】
また、前記金属箔は、更に外面に合成樹脂からなる剥離可能な保護層が形成され、該保護層と前記金属箔との間に前記接着層が設けられ、前記舌状体は前記保護層と融着されていることを特徴とするものである。
【０００９】
また、前記舌状体は、蛍光物質又は／及び蓄光物質が配合されていることを特徴とするものである。
【発明の効果】
【００１０】
請求項１に記載の本発明に係わる化粧幅木によれば、下端部に接着された舌状体が弾性合成樹脂からなることで、床面の不陸に応じて舌状体が変形し床面との隙間が生じるのを防ぐことができるが、舌状体は接着により幅木に一体となされていることで脱落の恐れが小さく、長期に亘って上述の機能を損なうことがない。また舌状体は他の部位と押出成形により一体に成形されるので嵌合等により取り付ける必要がなく、形成に係わる手間は少ないものとなり得る。
【００１１】
また請求項２の発明によれば、保護層により輸送時等において金属箔が汚損するのを防止できるが、舌状体は保護層と融着されていることで強固に一体化され、また保護層を介していることで、接着層を形成する接着剤を保護層と金属箔とに接着するものとでき、弾性合成樹脂用の特殊な接着剤を用いる必要がなくなり好ましい。
【００１２】
また請求項３の発明によれば、蓄光性蛍光物質が配合されていることで、暗闇であっても床面における壁面の位置を認識でき、安全に貢献できるものとなる。また上述の機能を具備させるにおいても、塗料の塗布等の必要がなく成形時での配合のみで済み、そのために要する手間や時間をなくすることができ好ましい。
【発明を実施するための最良の形態】
【００１３】
本発明に係わる最良の実施の形態について、図面に基づき以下に具体的に説明する。
図１及び図２は、本発明に係わる化粧幅木の、実施の一形態を示す説明図である。まず図１において、化粧幅木１０は、ＡＢＳ樹脂製の合成樹脂板２の全周に亘ってステンレス製の金属箔３が貼着され、下端部にオレフィン系エラストマーからなる舌状体１が接着されたものであるが、合成樹脂板２の成形、合成樹脂板２への金属箔３の貼着、舌状体１の成形、及び舌状体１の金属箔３への接着は、押出成形により同時に行われる。化粧幅木１０の背面側には、上下二ヶ所に切り欠きＫが設けられて合成樹脂板２が露出され、以下に述べる保護層の剥離への便宜が図られている。
【００１４】
図２は、舌状体１の金属箔３への接着部分の詳細を示す断面図である。金属箔３の外面には、更にＡＢＳ樹脂製の薄膜による保護層５が形成されており、押出成形時の熱により保護層５と舌状体１とは融着されている。舌状体１が形成されている付近の保護層５と金属箔３との間に変性ポリオレフィン系樹脂からなる接着層４が設けられており、かかる接着層４により舌状体１は、保護層５を介して金属箔３に接着されている。保護層５自体には接着性は備えられておらず、Ａ線及びＢ線から矢印方向の保護層５は、金属箔３は成形後容易に剥離可能となされており、成形後から輸送時等において汚損から金属箔３の表面を保護し、設置時又は設置後に切り欠きＫから保護層５を剥離することで金属面を露出させることができる。
【００１５】
更に舌状体１にはアルミン酸系ストロンチウム系の蓄光性蛍光物質がポリオレフィン系エラストマー１００重量部に対して１５重量部配合されており、昼間に蓄光し、夜間に光を放出することで、夜間の暗闇においても幅木の位置、すなわち壁面の位置を視認することができ、室内や店舗等における夜間での安全の確保に貢献できる。
【００１６】
舌状体１は、比較的成形が容易で、コストの低い熱可塑性のポリオレフィン系エラストマーを用いているが、押出成形により成形できるものであれば特に限定されるものではなく、天然ゴムやブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニール樹脂、エラストマー等の各種合成ゴムや合成樹脂等からなる弾性材やそれらを発泡させたもの等を用いることができる。また蓄光性蛍光物質を配合する場合には、光の入射を促進するために、透明若しくは半透明の透光性のものを用いるのが好ましい。
【００１７】
合成樹脂板２は、比較的成形が容易なＡＢＳ樹脂を用いているが、押出成形が可能な熱可塑性合成樹脂であれば特に限定されるものではなく、ポリエチレン、ポリプロピレン、ＡＡＳ樹脂、ポリ塩化ビニル樹脂やこれらを混合したものなどを適宜用いることができる。また金属箔３との間に接着層を設けてもよく、この場合、押出成形により成形が容易であるＥＶＡ（エチレン酢酸ビニルコポリマー）、ＰＶＢ（ポリビニルブチラール）、無水マレイン酸等で変性した変性ポリエチレン、変性ポリプロピレン等を好適に用いることができる。
【００１８】
また金属箔３は、塗装を施さなくとも長期に亘り外観に金属光沢を具備させることができ、また腐食に強いステンレスが好適に用いられるが、特に限定されるものではなく、鉄鋼、アルミニウム、チタン、亜鉛等の金属を０．１ｍｍ〜０．８ｍｍ程度の厚みにしたものなどを適宜用いてよい。
【００１９】
接着層４は、押出成形が比較的容易で、ＡＢＳ樹脂である保護層５との接着性を考慮すると変性ポリエチレンを用いるのが好ましいが、特に限定されるものではなく、上述の如く押出成形により成形が容易であるＥＶＡ（エチレン酢酸ビニルコポリマー）、ＰＶＢ（ポリビニルブチラール）、無水マレイン酸等で変性した変性ポリエチレン、変性ポリプロピレン等を好適に用いることができ、またエポキシ系接着剤、ウレタン系接着剤などを用いてもよい。
【００２０】
また保護層５は、薄膜の押出成形が容易で接着層との接着性が良好なＡＢＳ樹脂が好適に用いられるが、押出成形が可能なものであれば特に限定されるものではなく、ＡＢＳ樹脂、ＡＡＳ樹脂、ポリ塩化ビニル樹脂やこれらを混合したものなどを適宜用いることができる。
【００２１】
舌状体１に配合される蓄光性蛍光物質としては、アルミン酸系ストロンチウム系の蓄光性蛍光物質は発光輝度及び発光時間が長く好適に用いることができるが、特に限定されるものではなく硫化亜鉛や、それに銅を配合した等の硫化系のものを用いてもよいが、酸化アルミ、酸化ホウ素、酸化ストロンチウム等の酸化物を主体とし、それにユーロピューム等の希土類を配合した酸化系ものが、安全性、化学的な安定性、耐熱性、発光時間の長さ等において利点があり好ましい。蓄光性蛍光物質は、熱可塑性合成樹脂１００重量部に対し、１０〜２０重量部程度配合することで、成形性に悪影響を及ぼすことなく十分な発光輝度を得ることができる。
【図面の簡単な説明】
【００２２】
【図１】本発明に係わる化粧幅木の、実施の一形態を示す説明図である。
【図２】舌状体の接着部分の詳細を示す断面図である。
【符号の説明】
【００２３】
１    舌状体
２    合成樹脂板
３    金属箔
４    接着層
５    保護層
１０  化粧幅木
【図１】
2005082983.tif 000002
【図２】
2005082983.tif 000003